(57)【要約】【課題】タンクカバーの固定時に面倒な動作を要することなく優れた美観を呈し、かつ使用時にタンクカバーの破損を防止できる洋風水洗式便器を提供する。【解決手段】洋風水洗式便器１０は、洋風便器本体９０と、洋風便器本体９０の後部に載置される洗浄タンク２９と、洗浄タンク２９を開閉可能な吐水弁２６と、吐水弁２６を開放して洗浄水を洋風便器本体９０に吐水させる操作手段２１及び被操作手段２２と、下方に開口部３９を有して洗浄タンク２９及び吐水装置２６の周囲を覆蓋可能な形状をなし、洗浄タンク２９及び操作手段２１、被操作手段２２に上方から開口部３９を被せて洋風便器本体９０の後部に固定されるタンクカバー３０と、タンクカバー３０の外面に設けられ、操作手段２１を手動操作可能な洗浄ハンドル２３とを備える。タンクカバー３０の内面上端３１と洗浄タンク２９の上端２８とは、柱状凸部３２ａ、３２ｂと突起部２７ａ、２７ｂとにより互いに当接する支持部とされている。【選択図】図５
2006169824.tif 000002
【特許請求の範囲】
【請求項１】
洗浄水により洗浄される洋風便器本体と、該洋風便器本体の後部に載置され、内部に該洗浄水を貯留可能な洗浄タンクと、該洗浄タンクを開閉可能な吐水弁と、該吐水弁を開放して該洗浄水を該洋風便器本体に吐水させる吐水装置と、下方に開口部を有して該洗浄タンク及び該吐水装置の周囲を覆蓋可能な形状をなし、該洗浄タンク及び該吐水装置に上方から該開口部を被せて該洋風便器本体の後部に固定されるタンクカバーと、該タンクカバーの外面に設けられ、該吐水装置を手動操作可能な洗浄ハンドルとを備えた洋風水洗式便器において、
前記タンクカバーの内面上端と前記洗浄タンクの上端とは互いに当接する支持部とされていることを特徴とする洋風水洗式便器。
【請求項２】
洋風便器本体の後部上面に固定され、前記洗浄タンクを載置する後部ベースプレートと、該後部ベースプレートに対して昇降装置により昇降可能に設けられ、前記タンクカバーが固定される前部ベースプレートとを備えていることを特徴とする請求項１記載の洋風水洗式便器。
【請求項３】
前記吐水装置は、前記タンクカバーに装着され、前記洗浄ハンドルに結合された操作手段と、該操作手段と離反可能に前記洗浄タンクに装着され、該操作手段との係合により作動可能な被操作手段とからなり、
該操作手段は、該洗浄ハンドルを該タンクカバーに軸支する作動軸と、該作動軸から径方向に突出し、該洗浄ハンドルの一方向への操作により下方に揺動する第１レバーと、該作動軸から径方向に突出し、該洗浄ハンドルの他方向への操作により下方に揺動する第２レバーとを有し、
該被操作手段は、該第１レバーの下方に位置し、該第１レバーの揺動により下方に揺動する第３レバーと、該第２レバーの下方に位置し、該第２レバーの揺動により下方に揺動する第４レバーとを有することを特徴とする請求項２記載の洋風水洗式便器。
【発明の詳細な説明】
【技術分野】
【０００１】
本発明は洋風水洗式便器に関する。
【背景技術】
【０００２】
特許文献１に従来の洋風水洗式便器が開示されている。この洋風水洗式便器は、洗浄水により洗浄される洋風便器本体と、洋風便器本体の後部に載置され、内部に洗浄水を貯留可能な洗浄タンクと、洗浄タンクを開閉可能な吐水弁と、吐水弁を開放して洗浄水を洋風便器本体に吐水させる吐水装置とを備えている。
【０００３】
また、この洋風水洗式便器は、下方に開口部を有して洗浄タンク及び吐水装置の周囲を覆蓋可能な形状をなすタンクカバーも備えている。このタンクカバーは、洗浄タンク及び吐水装置に上方から開口部を被せて洋風便器本体の後部に固定されるようになっている。また、タンクカバーの外面には、吐水装置を手動操作可能な洗浄ハンドルが備えられている。
【０００４】
このような構成である従来の洋風水洗式便器は、水洗機能を発揮することに加え、一体感を有した意匠的に優れた外観を呈することが可能となっている。すなわち、洗浄タンクはタンクカバーによって隠蔽されることにより意匠的に優れた外観を呈するのであるが、同時にタンクカバーの外面に設けられた洗浄ハンドルを手動操作することで吐水装置を作動させることもできるからである。
【０００５】
【特許文献１】特開平２００３−３０１４９６号公報
【発明の開示】
【発明が解決しようとする課題】
【０００６】
しかし、上記従来の洋風水洗式便器は、タンクカバーを洋風便器本体の後部に固定する際に、下記のような不具合が生じるおそれがあった。すなわち、この洋風水洗式便器を組み立てる際、作業者がタンクカバーを洋風便器本体の後部に誤差を有して固定してしまうおそれがあり得る。また、この種の洋風水洗式便器は、作業者がタンクカバーを持ち上げることにより、タンクカバーにより隠蔽された部分の清掃を行うことが可能になっており、こうして清掃を行った後、作業者がタンクカバーを洋風便器本体の後部にやはり誤差を有して固定してしまうおそれがあり得る。特に、洋風便器本体の後部上面に固定され、洗浄タンクを載置する後部ベースプレートと、後部ベースプレートに対して昇降装置により昇降可能に設けられ、タンクカバーが固定されるベースプレートとを備えているような洋風水洗式便器においては、タンクカバーを上昇させることにより洋風便器本体の便器上面と前部ベースプレートとの間の清掃を容易に行い得るようになっており、頻繁な清掃によってタンクカバーを洋風便器本体の後部に誤差を有して固定することが多くなってしまう。このような場合、タンクカバーが傾斜し、美観が損なわれてしまう。他方、タンクカバーの傾斜を正す動作は煩わしさを付与することとなる。
【０００７】
また、この洋風水洗式便器は、使用者が例えばバランスを崩してタンクカバーに手を付いたりするような場合、タンクカバーに過度の荷重がかかることもある。このような場合、タンクカバーが過度に撓んで破損するおそれがある。
【０００８】
本発明は、上記従来の実情に鑑みてなされたものであって、タンクカバーの固定時に面倒な動作を要することなく優れた美観を呈し、かつ使用時にタンクカバーの破損を防止できる洋風水洗式便器を提供することを解決すべき課題としている。
【課題を解決するための手段】
【０００９】
本発明の洋風水洗式便器は、洗浄水により洗浄される洋風便器本体と、該洋風便器本体の後部に載置され、内部に該洗浄水を貯留可能な洗浄タンクと、該洗浄タンクを開閉可能な吐水弁と、該吐水弁を開放して該洗浄水を該洋風便器本体に吐水させる吐水装置と、下方に開口部を有して該洗浄タンク及び該吐水装置の周囲を覆蓋可能な形状をなし、該洗浄タンク及び該吐水装置に上方から該開口部を被せて該洋風便器本体の後部に固定されるタンクカバーと、該タンクカバーの外面に設けられ、該吐水装置を手動操作可能な洗浄ハンドルとを備えた洋風水洗式便器において、
前記タンクカバーの内面上端と前記洗浄タンクの上端とは互いに当接する支持部とされていることを特徴とする。
【００１０】
このような構成である本発明の洋風水洗式便器は、水洗機能を発揮することに加え、一体感を有した意匠的に優れた外観を呈することが可能となる。すなわち、洗浄タンクはタンクカバーによって隠蔽されることにより意匠的に優れた外観を呈するのであるが、同時にタンクカバーの外面に設けられた洗浄ハンドルを手動操作することで吐水装置を作動させることもできるからである。
【００１１】
ここで、本発明の洋風水洗式便器において、タンクカバーは、洋風便器本体の後部に固定されるとともに、内面上端が洗浄タンクの上端と互いに支持部によって当接することにより、正しい姿勢で確実に固定される。このため、この洋風水洗式便器の施工及び清掃の際に、作業者がタンクカバーを洋風便器本体の後部に誤差を有して固定してしまうおそれを無くすことができる。このため、この洋風水洗式便器は、タンクカバーが傾斜し、美観が損なわれてしまうという不具合を無くすことができる。他方、タンクカバーの傾斜を正す動作も必要なくなり、煩わしさが解消される。
【００１２】
また、本発明に係るタンクカバーは、洋風便器本体の後部に固定されるとともに、内面上端が洗浄タンクの上端に支持部によって当接することにより、正しい姿勢で確実に固定される。このため、本発明の洋風水洗式便器は、タンクカバーに過度の荷重がかかるような場合でも、そのタンクカバーがその荷重を適切に受け、破損し難い。
【００１３】
したがって、本発明の洋風水洗式便器は、タンクカバーの固定時に面倒な動作を要することなく優れた美観を呈し、かつ使用時にタンクカバーの破損を防止できる。
【００１４】
支持部としては、タンクカバーの内面上端と洗浄タンクの上端とが互いに当接するものであれば、形態や設置場所、個数を適宜選択可能である。支持部はタンクカバーと一体でもよく、洗浄タンクと一体でもよく、またこれらと別体でもよい。例えば、タンクカバーの内面上端から下方に伸びる柱状のものであってもよいし、洗浄タンクの上端から上方に伸びる衝立状のものであってもよい。また、タンクカバーの内面上端と洗浄タンクの上端とで嵌合する構造としてもよい。
【００１５】
本発明の洋風水洗式便器は、洋風便器本体の後部上面に固定され、前記洗浄タンクを載置する後部ベースプレートと、該後部ベースプレートに対して昇降装置により昇降可能に設けられ、前記タンクカバーが固定される前部ベースプレートとを備え得る。
【００１６】
このような構成である場合、本発明の洋風水洗式便器は、タンクカバーを上昇させることにより洋風便器本体の便器上面と前部ベースプレートとの間の清掃を容易に行うことができる。このため、この洋風水洗式便器は、頻繁な清掃に伴いタンクカバーを持ち上げることが多くなるので、本発明の効果を一層享受することとなる。
【００１７】
本発明の洋風水洗式便器において、前記吐水装置は、前記タンクカバーに装着され、前記洗浄ハンドルに結合された操作手段と、該操作手段と離反可能に前記洗浄タンクに装着され、該操作手段との係合により作動可能な被操作手段とからなり得る。
【００１８】
このような構成である吐水装置が適用された洋風水洗式便器では、タンクカバーを上方に持ち上げる場合、洗浄ハンドルに結合された操作手段と洗浄タンクに装着された被操作手段とが離反し、洗浄ハンドル、操作手段及びタンクカバーが一体で上方に持ち上がる。このため、タンクカバーを上方に持ち上げる前に洗浄ハンドルを取り外すというような煩わしい作業が必要がない。
【００１９】
従来の操作手段及び被操作手段としては、特開２００３−２０１７２８号公報に開示されているものが知られていた。操作手段は、前記洗浄ハンドルを該タンクカバーに軸支する作動軸と、該作動軸から径方向に突出し、該洗浄ハンドルの一方向への操作により下方に揺動する第１レバーとを有し、被操作手段は、該第１レバーの下方に位置し、該第１レバーの揺動により下方に揺動する第２レバーとを有していた。
【００２０】
このような構成である従来の操作手段及び被操作手段は、作業者がタンクカバーを洋風便器本体の後部に誤差を有して固定してしまい、タンクカバーが定位置を超えて下降した場合、第１レバーが第２レバーに接触するが、第１レバーは上方に揺動して逃げることができる。このため、操作手段又は被操作手段が破損するという不具合は生じ難かった。
【００２１】
また、この操作手段及び被操作手段では、洗浄ハンドルの一方向への手動操作に限り、操作手段から被操作手段に伝達される。このため、これらの操作手段及び被操作手段では、洗浄ハンドルの手動操作だけで吐水弁を大流量と小流量とに切り替えて開放することができなかった。なお、自動洗浄の場合には、操作手段と被操作手段との係合にかかわらず、大流量と小流量との切り替えが可能である。
【００２２】
それに対して、本発明の洋風水洗式便器において、前記吐水装置は、前記タンクカバーに装着され、前記洗浄ハンドルに結合された操作手段と、該操作手段と離反可能に前記洗浄タンクに装着され、該操作手段との係合により作動可能な被操作手段とからなり、
該操作手段は、該洗浄ハンドルを該タンクカバーに軸支する作動軸と、該作動軸から径方向に突出し、該洗浄ハンドルの一方向への操作により下方に揺動する第１レバーと、該作動軸から径方向に突出し、該洗浄ハンドルの他方向への操作により下方に揺動する第２レバーとを有し、
該被操作手段は、該第１レバーの下方に位置し、該第１レバーの揺動により下方に揺動する第３レバーと、該第２レバーの下方に位置し、該第２レバーの揺動により下方に揺動する第４レバーとを有し得る。
【００２３】
このような構成である操作手段及び被操作手段を仮に従来の洋風水洗式便器に適用した場合、操作手段と被操作手段とが係合されると、洗浄ハンドルを二方向に手動操作することにより、被操作手段を異なる二つの状態となるように作動させ得る。このため、例えば、洗浄ハンドルを手前に引いたり、又は押したりする二方向の手動操作により、吐水弁を大流量と小流量とに切り替えて開放させ得る。
【００２４】
しかしながら、上記従来の洋風水洗式便器では、上述した通り、タンクカバーが定位置を超えて下降してしまう場合がある。この場合には、操作手段の第１レバー及び第２レバーと被操作手段の第３レバー及び第４レバーとが過度に当接されることとなり、操作手段又は被操作手段が破損するという不具合が生じ得る。
【００２５】
また、その場合、操作手段又は被操作手段が破損しなくても、操作手段と被操作手段とが正しく係合されないため、洗浄ハンドルの二方向の手動操作が操作手段から被操作手段へとスムーズに伝達されないこととなる。その結果、洗浄タンクの吐水弁を大流量と小流量とに手動で切り替えて開放することにより、洗浄水を洋風便器本体に吐水させることができないというという不具合が生じ得るのである。
【００２６】
それに対して、このような構成である操作手段及び被操作手段を本発明の洋風水洗式便器に適用した場合には、上記不具合を生じないのである。
【００２７】
つまり、この場合、タンクカバーは、洋風便器本体の後部に固定されるとともに、内面上端が洗浄タンクの上端と互いに支持部によって当接することにより、正しい姿勢で確実に固定される。このため、タンクカバーは、定位置を超えて下降することがなくなり、操作手段の第１レバー及び第２レバーと被操作手段の第３レバー及び第４レバーとが過度に当接されることがない。このため、本発明の洋風水洗式便器は、操作手段又は被操作手段の破損を防止できるのである。
【００２８】
また、この場合、操作手段と被操作手段とが正しく係合されるので、洗浄ハンドルの手動操作が操作手段から被操作手段へとスムーズに伝達される。その結果、本発明の洋風水洗式便器は、洗浄ハンドルを二方向に手動操作することにより、被操作手段を異なる二つの状態となるように作動させることを確実に実施できる。このため、例えば、洗浄ハンドルを手前に引いたり、又は押したりする二方向の手動操作により、吐水弁を大流量と小流量とに手動で切り替えて開放し、洗浄水を洋風便器本体に吐水させることを確実に実施することができる。
【００２９】
支持部として、このような構成である操作手段及び被操作手段を採用する場合には、タンクカバーの内面上端における操作手段の両側に位置する部分と、洗浄タンクの上端における被操作手段の両側に位置する部分とが互いに当接するようにすることが好ましい。この場合には、吐水装置の操作手段又は被操作手段の破損をより確実に防止することができる。
【発明を実施するための最良の形態】
【００３０】
以下、本発明を具体化した実施例１を図面を参照しつつ説明する。
【実施例１】
【００３１】
図１及び図２に示すように、実施例１の洋風水洗式便器１０は、洗浄水により洗浄される洋風便器本体９０と、洋風便器本体９０の後部に載置され、内部に洗浄水を貯留可能な洗浄タンク２９と、洗浄タンク２９を開閉可能な吐水弁（フロート弁）２６と、吐水弁２６を開放して洗浄水を洋風便器本体９０の便鉢９１内に吐水させる吐水装置としての操作手段２１及び被操作手段２２とを備えている。
【００３２】
また、この洋風水洗式便器１０は、下方に開口部３９を有して洗浄タンク２９及び吐水装置としての操作手段２１及び被操作手段２２の周囲を覆蓋可能な形状をなすタンクカバー３０も備えている。このタンクカバー３０は、洗浄タンク２９及び吐水装置を構成する被操作手段２２に上方から開口部３９を被せるように、洋風便器本体９０の後部に設けられている。また、タンクカバー３０の側面には、吐水装置としての操作手段２１及び被操作手段２２を手動操作可能な洗浄ハンドル２３が備えられている。また、タンクカバー３０の上面には手洗鉢４０が載置され、タンクカバー３０の前面には便座５１及び便蓋５２が揺動可能に軸支されている。
【００３３】
さらに、この洋風水洗式便器１０は、洋風便器本体９０の後部上面に固定され、洗浄タンク２９を載置する後部ベースプレート８１と、後部ベースプレート８１に対して図示しない昇降装置により昇降可能に設けられ、タンクカバー３０の開口部３９が固定される前部ベースプレート８２とを備えている。なお、昇降装置の詳細な構造については、特開平２００３−１６６２７２号公報に開示された洋風水洗式便器の実施形態と同様である。このため、この洋風水洗式便器１０は、図３に示すように、前部ベースプレート８２に開口部３９が固定されたタンクカバー３０を便座５１及び便蓋５２とともに上昇させることが可能とされている。
【００３４】
吐水装置としての操作手段２１及び被操作手段２２は、図４及び図５に示すものである。操作手段２１は、タンクカバー３０に装着され、洗浄ハンドル２３に結合されている。被操作手段２２は、操作手段２１とは別体をなして洗浄タンク２９に装着され、操作手段２１との係合により作動可能とされている。
【００３５】
操作手段２１は、洗浄ハンドル２３をタンクカバー３０に軸支する作動軸２４と、作動軸２４から径方向に突出する第１レバー２１ａ及び第２レバー２１ｂを有している。第１レバー２１ａ及び第２レバー２１ｂは、作動軸２４の洗浄ハンドル２３が接続された端とは逆の端に設けられており、水平かつ互いに逆向きに径方向に突出した後、各先端が洗浄ハンドル２３から離れるように鍵状に折れ曲がった形状とされている。このような構成である操作手段２１は、図５に示すように、タンクカバー３０の固定時において、洗浄ハンドル２３の一方向への手動操作により、第１レバー２１ａが下方に揺動し、洗浄ハンドル２３の他方向への手動操作により第２レバー２１ｂが下方に揺動することとなる。
【００３６】
他方、被操作手段２２は、主要部が水平方向に延びる第２作動軸２２ｃと、第２作動軸２２ｃの主要部を内蔵し、図示しないリモコンからの信号により第２作動軸２２ｃを軸回りに揺動させ得るモータＭと、第２作動軸２２ｃの操作ハンドル２３側の一端から径方向に突出する第３レバー２２ａ及び第４レバー２２ｂを有している。第３レバー２２ａ及び第４レバー２２ｂは、水平かつ互いに逆向きに径方向に突出した形状とされている。このような構成である被操作手段２２は、タンクカバー３０の固定時において、第３レバー２２ａが第１レバー２１ａの下方に位置し、第１レバー２１ａの揺動により下方に揺動するようになっている。また、第４レバー２２ｂが第２レバー２１ｂの下方に位置し、第２レバー２１ｂの揺動により下方に揺動するようになっている。
【００３７】
また、被操作手段２２は、第２作動軸２２ｃの他端に係止され、洗浄タンク２９内の吐水弁２６を開放するチェーン２６ｂと、図示しない流量切替機構とを有している。なお、流量切替機構の詳細な構造については、特開平２００３−２０１７２８号公報に開示された洋風水洗式便器の実施形態と同様である。このため、被操作手段２２は、洗浄ハンドル２３の手動操作又はリモコンからの信号により駆動されるモータＭの回転により、吐水弁２６を開放可能とされている。この際、第２作動軸２２ｃは、洗浄ハンドル２３の二方向の手動操作又はそれに対応するモータＭの二方向の回転に対応して、二方向に揺動する。そして、第２作動軸２２ｃが異なる方向に揺動することにより、チェーン２６ｂ及び図示しない流量切替機構を介して、洗浄タンク２９内の吐水弁２６を大流量と小流量とに切り替えて開放することができるようにされている。
【００３８】
タンクカバー３０の内面上端３１には、図４及び図５に示すように、操作手段２１を跨ぐ位置に、下方に伸びる柱状凸部３２ａ、３２ｂが一体に形成されている。また、洗浄タンク２９の上端２８には、タンクカバー３０の組み付け時に柱状凸部３２ａ、３２ｂを支持することができるように、被操作手段２２を跨ぐ位置に突出部２７ａ、２７ｂが一体に形成されている。こうして、柱状凸部３２ａ、３２ｂと突出部２７ａ、２７ｂとは、タンクカバー３０の内面上端３１と洗浄タンク２９の上端２８とが互いに当接する支持部とされている。なお、タンクカバー３０及び洗浄タンク２９は、操作手段２１及び被操作手段２２が設けられていない側にも図示しない柱状凸部及び突出部を同様に有している。
【００３９】
このような構成である実施例１の洋風水洗式便器１０は、図２に示すように、洋風便器本体９０に洗浄タンク２９、吐水弁２６、吐水装置としての操作手段２１及び被操作手段２２、タンクカバー３０、洗浄ハンドル２３、手洗鉢４０その他の構成部材が組み付けられることにより完成する。ここで、タンクカバー３０を組み付ける際には、図２に示す状態から、タンクカバー３０を下降させて、洋風便器本体９０の後部にある前部ベースプレート８２にタンクカバー３０の開口部３９を固定する。
【００４０】
この際、タンクカバー３０の内面上端３１と洗浄タンク２９の上端２８とにおいて、柱状凸部３２ａ、３２ｂと突起部２７ａ、２７ｂとは、図４に示すように離反した状態から、図５に示すように互いに当接した状態となる。それと同時に、操作手段２１の第１レバー２１ａ及び第２レバー２１ｂと、被操作手段２２の第３レバー２２ａ及び第４レバー２２ｂとは、図４に示す離反した状態から、図５に示す互いに当接した状態となる。こうして、タンクカバー３０は、洋風便器本体９０の後部に固定されるとともに、内面上端３１が洗浄タンク２９の上端２８と互いに支持部としての柱状凸部３２ａ、３２ｂと突起部２７ａ、２７ｂとによって当接することにより、正しい姿勢で確実に固定され、定位置を超えて下降することがない。そして、操作手段２１及び被操作手段２２は正しく係合される。
【００４１】
こうして完成した実施例１の洋風水洗式便器１０において、使用者がタンクカバー３０の側面に設けられた洗浄ハンドル２３を手動操作すれば、洗浄ハンドル２３の手動操作が操作手段２１から被操作手段２２へとスムーズに伝達され、第２作動軸２２ｃが揺動する。また、使用者がリモコンを操作すれば、その信号によってモータＭが駆動され、第２作動軸２２ｃが揺動する。
【００４２】
このため、洗浄ハンドル２３の二方向の手動操作又はそれに対応するモータＭの二方向の回転に対応して、第２作動軸２２ｃは二方向に揺動し、チェーン２６ｂ及び図示しない流量切替機構を介して、洗浄タンク２９内の吐水弁２６を大流量と小流量とに切り替えて開放することができる。こうして、この洋風水洗式便器１０は、洋風便器本体９０の便鉢９１内に洗浄水を吐水する洗浄機能を発揮することができる。
【００４３】
それに加えて、この洋風水洗式便器１０は、洗浄タンク２９がタンクカバー３０によって隠蔽されていることにより一体感を有した意匠的に優れた外観を呈することができている。
【００４４】
さらに、この洋風水洗式便器１０は、図３に示すように、図示しない昇降装置により昇降可能に設けられ、タンクカバー３０の開口部３９が固定される前部ベースプレート８２により、タンクカバー３０を便座５１及び便蓋５２とともに上昇させることができる。この際、洗浄ハンドル２３に結合された操作手段２１と洗浄タンク２９に装着された被操作手段２２とは離反し、洗浄ハンドル２３、操作手段２２及びタンクカバー３０が一体で上方に持ち上がる。このため、この洋風水洗式便器１０は、洋風便器本体９０の便器上面と前部ベースプレート８２との間の清掃を容易に行うことが可能となっている。また、タンクカバー３０を上方に持ち上げる前に洗浄ハンドル２３を取り外すというような煩わしい作業が不要になっている。
【００４５】
ここで、実施例１の洋風水洗式便器１０において、タンクカバー３０は、洋風便器本体９０の後部に固定されるとともに、内面上端３１が洗浄タンク２９の上端２８と互いに柱状凸部３２ａ、３２ｂと突出部２７ａ、２７ｂとによって当接することにより、正しい姿勢で確実に固定されている。このため、この洋風水洗式便器１０は、施工及び清掃の際に、作業者がタンクカバー３０を洋風便器本体９０の後部に誤差を有して固定してしまうおそれを無くすことができる。このため、この洋風水洗式便器１０は、タンクカバー３０が傾斜し、美観が損なわれてしまうという不具合を無くすことができる。他方、タンクカバー３０の傾斜を正す動作も必要なくなり、煩わしさが解消される。また、この洋風水洗式便器１０は、タンクカバー３０に過度の荷重がかかるような場合でも、そのタンクカバー３０がその荷重を適切に受け、破損し難いのである。
【００４６】
したがって、実施例１の洋風水洗式便器１０は、タンクカバー３０の固定時に面倒な動作を要することなく優れた美観を呈し、かつ使用時にタンクカバー３０の破損を防止できている。
【００４７】
また、この洋風水洗式便器１０は、タンクカバー３０を容易に持ち上げ、これによって洋風便器本体９０の便器上面と前部ベースプレート８２との間を頻繁に清掃することも多いことから、本発明の効果を一層享受することとなっている。
【００４８】
また、この洋風水洗式便器１０においては、タンクカバー３０は、定位置を超えて下降することはないので、操作手段２１の第１レバー２１ａ及び第２レバー２１ｂと被操作手段２２の第３レバー２２ａ及び第４レバー２２ｂとが過度に当接されることがなくなっている。このため、この洋風水洗式便器１０は、操作手段２１又は被操作手段２２の破損を防止できている。
【００４９】
以上において、本発明を実施例１に即して説明したが、本発明は上記実施例１に制限されるものではなく、その趣旨を逸脱しない範囲で適宜変更して適用できることはいうまでもない。
【産業上の利用可能性】
【００５０】
本発明は洋風水洗式便器に利用可能である。
【図面の簡単な説明】
【００５１】
【図１】実施例１の洋風水洗式便器の概略斜視図である。
【図２】実施例１の洋風水洗式便器の組み付け前の状態を示す概略斜視図である。
【図３】実施例１の洋風水洗式便器のタンクカバーを図示しない昇降装置により上昇させた状態を示す概略斜視図である。
【図４】実施例１の洋風水洗式便器に係り、タンクカバーを組み付ける過程における一部破断の斜視図である。
【図５】実施例１の洋風水洗式便器に係り、タンクカバーを組み付けた後における一部破断の斜視図である。
【符号の説明】
【００５２】
１０…洋風水洗式便器
２１、２２…吐水装置（２１…操作手段、２２…被操作手段）
２１ａ…第１レバー
２１ｂ…第２レバー
２２ａ…第３レバー
２２ｂ…第４レバー
２３…洗浄ハンドル
２４…作動軸
２６…吐水弁
３０…タンクカバー
３１…タンクカバーの内面上端
２８…洗浄タンクの上端
２９…洗浄タンク
３２ａ、３２ｂ、２７ａ、２７ｂ…支持部（３２ａ、３２ｂ…柱状凸部、２７ａ、２７ｂ…突出部）
３９…開口部
８１…後部ベースプレート
８２…前部ベースプレート
９０…洋風便器本体
【図１】
2006169824.tif 000003
【図２】
2006169824.tif 000004
【図３】
2006169824.tif 000005
【図４】
2006169824.tif 000006
【図５】
2006169824.tif 000007